(57)【要約】  【課題】  充電時や机などの上に置いた状態で使用する際に、本体を横向きに置くことができるようにすると共に、横置き状態においては横長の画面で見ることができる携帯電話装置を提供する。  【解決手段】  本体が縦置き状態から横置き状態にされると、置き状態検出部１１は横置き状態を検出し、これにより、縦横画面切換手段１２は縦置き用画面から横置き用画面に切り換えるので、充電時や机などの上に置いた状態で使用する際に、本体が横置き状態になると、横置き状態においては見やすい横長の画面で見ることができる。例えば、本体を横置きできる充電スタンドを用いることにより、横置き状態で使用可能にするので、充電時に横長の画面で見ることができる。また、本体にスタンドを設けることにより、横置き状態で使用可能にするので、横置きに立てたとき、横長の画面で見ることができる。【選択図】      図１
2005101879.tif 000002
【特許請求の範囲】
【請求項１】
本体の置き状態が縦置き状態であるか横置き状態であるかを検出する置き状態検出手段と、この置き状態検出手段により検出された縦置き状態または横置き状態に応じて縦置き用画面または横置き用画面に表示を切り換える縦横画面切換手段とを備えたことを特徴とする携帯電話装置。
【請求項２】
本体を横置きできる充電スタンドを用いることにより、横置き状態で使用可能にすることを特徴とする請求項１に記載の携帯電話装置。
【請求項３】
本体にスタンド機構を設けることにより、横置き状態で使用可能にすることを特徴とする請求項１に記載の携帯電話装置。
【請求項４】
本体を横向きで自立できる形状にすることにより、横置き状態で使用可能にすることを特徴とする請求項１に記載の携帯電話装置。
【請求項５】
本体が横置き状態で使用可能であるため、本体の両端にスピーカを搭載することで、ステレオで音楽メディアを再生できるようにしたことを特徴とする請求項２から請求項４の何れかに記載の携帯電話装置。
【請求項６】
前記置き状態検出手段は、本体が横置き状態になったときにオンされる検出スイッチを有することを特徴とする請求項１に記載の携帯電話装置。
【請求項７】
前記縦横画面切換手段は、前記置き状態検出手段からの横置き状態信号を検出したときに本体は横置き状態になったと判定し、画面を縦置き用画面から横置き用画面に切り換えることを特徴とする請求項１に記載の携帯電話装置。
【発明の詳細な説明】
【技術分野】
【０００１】
本発明は、無線で通信を行う携帯電話装置に関し、特に、本体を横置き状態でも立てることができる携帯電話装置に関する。
【背景技術】
【０００２】
従来から、携帯電話装置を形状のタイプにより大きく分けると、キースイッチと表示部とが一つのケースに収まった細長のタイプの携帯電話装置と、折りたたみのケースを有し、一方のケースにキースイッチが収められ、他方のケースに表示部が収められた、いわゆる折畳みタイプの携帯電話装置とが知られている。これらの携帯電話装置では、電池パックを有し、付属品として与えられている充電器による充電時以外は電池パックによる電力で動作が行われる。
【特許文献１】特開平５−３０８３１６号公報
【発明の開示】
【発明が解決しようとする課題】
【０００３】
ところで、細長タイプの携帯電話装置の充電時には、充電器のスタンドに立てることにより、画面を見やすくすることができるが（例えば特許文献１参照）、最近多く使用されている折畳みタイプの携帯電話装置では、充電器のスタンドに立てている際は折畳みが閉じているため、画面を見ることができず、例えば、閉じた状態でも見ることができるようにした時計表示ぐらいである。また、多くの携帯電話装置は画面が縦長であり、テレビなどの映像メディアの視聴には向いていない。
【０００４】
本発明は、上記のような課題を解決するためになされたもので、充電時や机などの上に置いた状態で使用する際に、本体を横向きに置くことができるようにすると共に、横置き状態においては、横長の画面で見ることができる携帯電話装置を提供することを目的とする。
【課題を解決するための手段】
【０００５】
上記目的を達成するため、本発明は、本体の置き状態が縦置き状態であるか横置き状態であるかを検出する置き状態検出手段と、この置き状態検出手段により検出された縦置き状態または横置き状態に応じて縦置き用画面または横置き用画面に表示を切り換える縦横画面切換手段とを備えたことを特徴とする携帯電話装置を提供する。
【０００６】
この構成において、置き状態検出手段により本体の縦置き状態が検出されると、縦横画面切換手段により縦書き用画面に設定される。そして、本体が横置きにされると、置き状態検出手段は横置き状態を検出し、これにより、縦横画面切換手段は縦置き用画面から横置き用画面に切り換える。
【０００７】
この構成によれば、充電時や机などの上に置いた状態で使用する際に、本体が横置き状態になると、横置き状態においては見やすい横長の画面で見ることができる携帯電話装置を得ることができる。
【０００８】
また、本発明では、本体を横置きできる充電スタンドを用いることにより、横置き状態で使用可能にするので、充電時に横長の画面で見ることができる。
【０００９】
また、本発明では、本体にスタンド機構を設けることにより、横置き状態で使用可能にするので、横置きに立てたとき、横長の画面で見ることができる。
【００１０】
また、本発明では、本体を横向きで自立できる形状にすることにより、横置き状態で使用可能にするので、横置きに立てたとき、横長の画面で見ることができる。
【００１１】
また、本発明では、本体が横置き状態で使用可能であるため、本体の両端にスピーカを搭載することで、ステレオで音楽メディアを再生できるようにしたので、横置き状態で、しかも横長の画面で、ステレオ音楽を楽しむことができる。
【００１２】
また、本発明では、前記置き状態検出手段は、本体が横置き状態になったときにオンされる検出スイッチを有するので、本体が横置き状態になったことを簡単に検出することが可能になる。
【００１３】
また、本発明では、前記縦横画面切換手段は、前記置き状態検出手段からの横置き状態信号を検出したときに本体は横置き状態になったと判定し、画面を縦置き用画面から横置き用画面に切り換えるので、縦置き状態の検出のための手段は必要がなく、横置き状態の検出のみで、縦置き状態であるか横置き状態であるかを判定でき、判定処理が簡単に行える。
【発明の効果】
【００１４】
以上のように本発明によれば、充電時や机などの上に置いた状態で使用する際に、本体を横向きに置くことができ、横置き状態においては横長の画面で見ることができる。このように画面を横長の状態で使えるため、テレビ放送などの映像メディアを視聴しやすいスタイルの携帯電話装置を提供できる。また、本体を横向きで使うことにより、本体の左右にスピーカを搭載することでステレオ環境を構築できる。これらにより、充電時や机などの上において使う際にダウンロードした音楽メディアやテレビ放送などの映像メディアを視聴するというスタイルの携帯電話装置を提供できる。
【発明を実施するための最良の形態】
【００１５】
以下、添付図面を参照しつつ、本発明の実施の形態について説明する。図１は本発明の一実施形態に係る携帯電話装置の電気的構成を示すブロック図である。
【００１６】
この携帯電話装置は、変調された音声データや変調されたメールデータを電波として送信したり、送信されてきた変調音声データや変調メールデータを含む電波を受信したりするアンテナ１と、受信時にはアンテナ１で受信した電波に含まれる変調音声データや変調メールデータを復調して音声データやメールデータを取り出して制御部５に入力すると共に、送信時には制御部５から出力された音声データやメールデータを変調してアンテナ１に供給する通信回路部２と、通話するときのキー操作やメールを作成して送信するときのキー操作などを行い、制御部５にキー操作信号を入力するためのキー入力部３と、本体の折畳みの開閉状態を検出して制御部５に開閉状態信号を入力する開閉状態検出部４と、メモリ１０に記憶されている音声データを制御部５を介して入力し、所定処理してステレオ音声信号としてスピーカ６ａ，６ｂに供給したり、マイク８からの音声信号を所定処理して音声データとして制御部５に入力したりする音声処理部７と、操作内容や電話番号あるいはメールなどを表示する表示部９と、制御部５に接続され、本体の置き状態が縦置き状態であるか横置き状態であるかを検出する置き状態検出部１１と、この置き状態検出部１１により検出された縦置き状態または横置き状態に応じて縦置き用画面または横置き用画面に表示を切り換える制御部５内の縦横画面切換手段１２とを備えている。
【００１７】
電話受信時における処理では、アンテナ１より受信した変調音声データは、通信回路部２に入力されて、復調された後、制御部５を介して音声処理部７に供給される。これにより、音声処理部７は音声データを所定処理して音声信号として出力する。この音声信号は受話スピーカに供給され、音声化される。前記受話スピーカとしては、スピーカ６ａ，６ｂのうちユーザが通話時に耳に当たる方のスピーカであって良く、また、スピーカ６ａ，６ｂ以外に元々備えられている受話スピーカやイヤホンであっても良い。
【００１８】
電話送信時における処理では、ユーザの音声がマイク８に入力され、マイク８から出力された音声信号は音声処理部７に入力され、所定処理されて音声データとして制御部５に供給される。これにより、制御部５は前記音声データを通信回路部２に供給し、通信回路部２では、前記音声データを変調してアンテナ１に供給して電波に乗せて送信する。
【００１９】
メール受信時における処理では、アンテナ１より受信した変調メールデータは、通信回路部２に入力されて、メールデータに復調された後、そのメールデータは制御部５を介してメモリ１０に一旦格納され、この後、制御部５は、メモリ１０からメールデータを読み出して表示部９に入力し、表示部９にメールを表示させる。
【００２０】
また、ダウンロードした音楽メディアを受信した場合は、アンテナ１より受信した変調音楽データは、通信回路部２に入力されて、音楽データに復調された後、その音楽データは制御部５を介してメモリ１０に一旦格納され、この後、制御部５は、メモリ１０から音楽データを読み出して音声処理部７に供給し、これにより音声処理部７から左右の音声信号が左右のスピーカ６ａ，６ｂに供給され、音声化される。
【００２１】
また、ダウンロードしたテレビ放送などの映像メディアを受信した場合は、アンテナ１より受信した変調映像データは、通信回路部２に入力されて映像データに復調された後、その映像データは制御部５を介してメモリ１０に一旦格納され、この後、制御部５は、メモリ１０から映像データを読み出して表示部９に供給し、表示部９に映像を表示させる。
【００２２】
メール送信時における処理では、ユーザが送信したいメールを、表示部９の画面を見ながらキー入力部３のキーを操作して作成して、メールデータをメモリ１０に一旦格納し、この後、キー入力部３の送信操作を行うことによって、制御部１２は、メモリ１０からメールデータを読み出し、このメールデータを通信回路部２で変調し、アンテナ１から電波に乗せて送信する。
【００２３】
図２は図１中の置き状態検出部１１および縦横画面切換手段１２の動作を説明するためのフローチャートである。携帯電話装置の本体はどのような状態で置かれているか否かを検出する。即ち、置き状態検出部１１は、携帯電話装置の本体が横置き状態であるか縦置き状態であるかを検出する（ステップＳ１）。横置き状態であれば、置き状態検出部１１は横置き状態信号を出力し、この横置き状態信号を入力した制御部５の縦横画面切換手段１２は、表示部９に表示される画面を縦置き用画面から横置き用画面に切り換える（ステップＳ２）。
【００２４】
携帯電話装置の本体が横置き状態から縦置き状態になると、置き状態検出部１１は、横置き状態信号を出力しないことにより、本体が縦置き状態であることを検出し（ステップＳ１）、これにより、制御部５の縦横画面切換手段１２は、表示部９に表示される画面を横置き用画面から縦置き用画面に切り換える（ステップＳ３）。
【００２５】
図３は携帯電話装置の本体およびスタンドの正面を簡略的に示す正面図である。図４は本体を横置き状態にした場合に下方から見た本体側面を簡略的に示す側面図である。図３において、３３は携帯電話装置の本体３１を横置き状態で立てるためのスタンドであり、このスタンド３３には突起部３２が設けられている。また、図３および図４において、本体３１の下方の側面には円状の穴３６が設けられ、この穴３６の奥には横置き検出スイッチ３４のピン３５が突出している。したがって、本体３１をスタンド３３により横置き状態で立てるとき、スタンド３３の突起部３２が本体３１の穴３６に挿入されることにより横置き検出スイッチ３４のピン３５が押下され、横置き検出スイッチ３４がオンする。これにより、置き状態検出部１１（図１参照）は、横置き状態検出信号を出力し、本体３１が横置き状態であることを制御部５の縦横画面切換手段１２に伝える。
【００２６】
図５は折畳みタイプの携帯電話装置を開状態でスタンドに置いた場合を示す簡略化した外観図である。図６は図５に示す折畳みタイプの携帯電話装置の側面を示す簡略化した側面図である。図５および図６において、５１は携帯電話装置の本体であり、携帯電話装置の本体５１の一方のケース５１ａには、表示部５４や左側スピーカ５３ａなどが設けられ、他方のケース５１ｂには、キー入力部５５や右側スピーカ５３ｂなどが設けられている。５２は充電スタンドであり、この充電スタンド５２の上面は本体５１が横置き状態で載置できるような形状になっている。また、携帯電話装置の本体５１が充電スタンド５２に載置されたことを検出するための横置き検出スイッチ７１が本体５１の側面（図では下部）に設けられている。横置き検出スイッチ７１は、図７に示すようにピン７２を押下することによってオンされるようになっている。
【００２７】
このように、本体５１を横置きできる充電スタンド５２を用いることにより、携帯電話装置を充電できると共に、携帯電話装置を横置き状態で使用することができる。また、横置き検出スイッチ７１が設けられていることにより、本体５１が横置き状態になったとき横長の画面が表示できる。また、本体５１の両端に左右のスピーカ５３ａ，５３ｂを搭載することで、ステレオで音楽メディアを再生することが可能になる。
【００２８】
この実施形態によれば、折畳みタイプの携帯電話装置を開状態のまま立てることができる充電スタンド５２を用い、その際、充電スタンド５２に載置されたことを検知する機構（横置き検出スイッチ７１）を設けることにより、画面を縦置き画面から横置き画面に切り換えることができる。また、本体５１を横置き状態で使用するため、本体５１の左右にスピーカ５３ａ，５３ｂを搭載することでステレオ環境を構築できる。
【００２９】
図８は携帯電話装置の本体にスタンド機構を設けた場合で携帯電話装置の本体を後方から見た外観を簡略的に示す外観図である。図９は図８に示す携帯電話装置の本体の側面を簡略的に示す側面図である。図８および図９において、８１は携帯電話装置の本体であり、この本体８１の後方の面にはスタンド８２が設けられている。また、横置き検出スイッチ７１は、例えば本体８１の図から見て下部、またはスタンド８２の下部に設けられる。この横置き検出スイッチ７１により、本体８１が横置き状態になったことが検出され、画面を縦置き用画面から横置き用画面に切り換えることができる。なお、横置き検出スイッチ７１をスタンド８２の下部に設けた場合は、スタンド８２が使用されていることを検出し、これにより、画面を縦置き用画面から横置き用画面に切り換えることができる。
【００３０】
この実施形態によれば、本体８１にスタンド８２を設けることにより自立できるようにし、この際、スタンド８２が使用されていることを検出する横置き検出スイッチ７１を設けることにより、画面を縦置き用画面から横置き用画面に切り換えることができる。また、この場合も本体８１の左右にスピーカを搭載することで、ステレオ環境を構築できる。
【００３１】
図１０は携帯電話装置の本体形状を自立できる形状にした場合の携帯電話装置の簡略化した正面図である。図１１は図１０に示す携帯電話装置の側面を概略的に示す側面図である。図１０および図１１において、１０１は携帯電話装置の本体であり、この本体の正面には、表示部１０３、キー入力部１０４、左右のスピーカ１０２ａ，１０２ｂなどが設けられている。この本体１０１の形状は自立できるような形状になっており、本体１０１の底部には横置き検出スイッチ７１が設けられている。この本体１０１を横向きに置くことによって横置き検出スイッチ７１がオンされ、横置き状態が検出される。この横置き状態が検出されることによって、画面を縦置き用画面から横置き用画面に切り換えることができる。
【００３２】
この実施形態によれば、本体１０１の形状を自立できる形状にし、横置き検出スイッチ７１を設けることにより、画面を縦置き用画面から横置き用画面に切り換えることができる。この場合も、本体１０１の左右にスピーカ１０２ａ，１０２ｂを搭載することで、ステレオ環境を構築できる。
【００３３】
なお、上記各実施形態では、本体の横置き状態を検出するのに、押下するとオンする横置き検出スイッチを用いたが、それに限らず、重力方向（下方）に向いたときオンする重力センサなどを用いても良い。
【図面の簡単な説明】
【００３４】
【図１】本発明の一実施形態に係る携帯電話装置の電気的構成を示すブロック図である。
【図２】図１中の置き状態検出部および縦横画面切換手段の動作を説明するためのフローチャートである。
【図３】携帯電話装置の本体およびスタンドの正面を簡略的に示す正面図である。
【図４】携帯電話装置の本体を横置き状態にした場合に下方から見た本体側面を簡略的に示す側面図である。
【図５】折畳みタイプの携帯電話装置を開状態でスタンドに置いた場合を示す簡略化した外観図である。
【図６】図５に示す折畳みタイプの携帯電話装置の側面を示す簡略化した側面図である。
【図７】横置き状態検出スイッチの一例を示す概略構成図である
【図８】携帯電話装置本体にスタンド機構を設けた場合で携帯電話装置本体を後方から見た外観を簡略的に示す外観図である。
【図９】図８に示す携帯電話装置本体の側面を簡略的に示す側面図である。
【図１０】携帯電話装置の本体形状を自立できる形状にした場合の携帯電話装置の簡略化した正面図である。
【図１１】図１０に示す携帯電話装置の側面を概略的に示す側面図である。
【符号の説明】
【００３５】
６ａ，６ｂ，５３ａ，５３ｂ，１０２ａ，１０２ｂ    スピーカ
１１    置き状態検出部
１２    縦横画面切換手段
３３，８２    スタンド（スタンド機構）
３４，７１    横置き検出スイッチ
５２    充電スタンド
【図１】
2005101879.tif 000003
【図２】
2005101879.tif 000004
【図３】
2005101879.tif 000005
【図４】
2005101879.tif 000006
【図５】
2005101879.tif 000007
【図６】
2005101879.tif 000008
【図７】
2005101879.tif 000009
【図８】
2005101879.tif 000010
【図９】
2005101879.tif 000011
【図１０】
2005101879.tif 000012
【図１１】
2005101879.tif 000013